(57)【要約】【課題】発光ユニットの搭載個数や配置の自由度が高く、同じ装置サイズにおいて、光束クラスあるいは表面発光強度分布の変更を容易に実現することができ、かつ組み立て性に優れた安価な発光装置を提供すること。【解決手段】本発明の発光装置は、発光素子（ＬＥＤ光源２１）を有する複数の発光ユニット（中心発光ユニット２０ａ，周囲発光ユニット２０ｂ）と、発光ユニットと発光ユニットとを連結する枠体１２と、を備え、枠体１２は、発光ユニットを固定する固定部（第１固定部１２ａ，第２固定部１２ｂ）を有する。固定部は、発光ユニットが挿入する開口を有し、発光ユニットがこの開口に挿入した状態で枠体１２と発光ユニットとが固定される。【選択図】図３
2015011953.tif 000002
【特許請求の範囲】
【請求項１】
発光素子を有する複数の発光ユニットと、
前記発光ユニットと前記発光ユニットとを連結する枠体と、
を備え、
前記枠体は、前記発光ユニットを固定する固定部を有する発光装置。
【請求項２】
前記固定部は、前記発光ユニットが挿入する開口を有し、
前記発光ユニットが前記開口に挿入した状態で前記枠体と前記発光ユニットとが固定される請求項１記載の発光装置。
【請求項３】
前記発光ユニットに対して、前記枠体を取り付ける位置を、前記発光ユニットの灯軸方向に、変更可能である請求項１または２記載の発光装置。
【請求項４】
前記発光ユニットに対して、前記枠体を取り付ける位置を、前記発光ユニットを中心として回転する方向に、変更可能である請求項１乃至３の何れか１項記載の発光装置。
【請求項５】
Ｎを３以上の整数とし、前記発光ユニットに対して、前記枠体を取り付ける位置を、前記発光ユニットを中心として回転する方向に、（３６０／Ｎ）°ごとに位置決めする位置決め手段を備える請求項４記載の発光装置。
【請求項６】
一つの前記発光ユニットに取り付けられた複数の前記枠体を備え、
前記複数の前記枠体は、前記一つの前記発光ユニットを中心として回転する方向の取り付け角度が互いに異なる請求項１乃至５の何れか１項記載の発光装置。
【請求項７】
一つの前記発光ユニットに取り付けられた複数の前記枠体を備え、
前記複数の前記枠体は、前記一つの前記発光ユニットの灯軸方向の取り付け位置が互いに異なる請求項１乃至６の何れか１項記載の発光装置。
【請求項８】
前記発光ユニットは、前記枠体を取り付ける位置における断面の外形が、回転対称な形状である請求項１乃至７の何れか１項記載の発光装置。
【請求項９】
前記発光ユニットに、前記枠体を取り付ける位置を示すマーキングが付されている請求項１乃至８の何れか１項記載の発光装置。
【請求項１０】
前記発光ユニットは、前記発光素子の熱を放熱させる放熱体を有し、
前記枠体の固定部は、前記放熱体と固定される請求項１乃至９の何れか１項記載の発光装置。
【請求項１１】
前記放熱体は、放射状に突出する複数のフィンを有する請求項１０記載の発光装置。
【請求項１２】
前記放熱体の前記フィンと前記フィンとの間に嵌め合う突起部が前記枠体の前記固定部に設けられている請求項１１記載の発光装置。
【請求項１３】
長さの異なる複数種類の前記枠体を備える請求項１乃至１２の何れか１項記載の発光装置。
【請求項１４】
複数の前記発光ユニットが回転対称に配置されている請求項１乃至１３の何れか１項記載の発光装置。
【請求項１５】
複数の前記発光ユニットが回転対称に配置され、各々の前記発光ユニットの位置が、回転対称の中心に対して等角度間隔になっている請求項１乃至１４の何れか１項記載の発光装置。
【請求項１６】
Ｎを３以上の整数とし、複数の前記発光ユニットが、（３６０／Ｎ）°回転したときに同じ配置になるような回転対称に配置されている請求項１乃至１５の何れか１項記載の発光装置。
【請求項１７】
一つの前記発光ユニットの周囲に他の前記発光ユニットが配置され、
前記一つの前記発光ユニットと、前記他の前記発光ユニットの各々とが、それぞれ、前記枠体を介して連結されている請求項１乃至１６の何れか１項記載の発光装置。
【請求項１８】
前記他の前記発光ユニットの数が３個以上である請求項１７記載の発光装置。
【請求項１９】
前記他の前記発光ユニットの数をＮとしたとき、前記他の前記発光ユニットの各々は、前記一つの前記発光ユニットを中心として回転する方向の取り付け角度が（３６０／Ｎ）°ごとに配置されている請求項１８記載の発光装置。
【請求項２０】
Ｎを３以上の整数とし、
Ｎの約数で、かつ３以上の数をＭとし、
ＮからＭを引いた数で、かつ３以上の数をＰとしたとき、
前記他の前記発光ユニットの数がＰ個である請求項１８記載の発光装置。
【請求項２１】
３個以上の前記発光ユニットが前記枠体を介して環状に連結されている請求項１乃至１６の何れか１項記載の発光装置。
【請求項２２】
前記発光素子は、チップ・オン・ボードタイプのＬＥＤ光源である請求項１乃至２１の何れか１項記載の発光装置。
【発明の詳細な説明】
【技術分野】
【０００１】
本発明は、発光装置に関する。
【背景技術】
【０００２】
ＬＥＤ（Ｌｉｇｈｔ  Ｅｍｉｔｔｉｎｇ  Ｄｉｏｄｅ）を用いた従来の照明装置、特に、高天井に設置するＬＥＤ照明装置としては、比較的小型で小光束のＬＥＤパッケージを複数搭載した基板を、大型の１つの放熱ヒートシンクに装着し、その放熱効果によりＬＥＤ温度を低温化させ、高い発光効率を維持しようとする装置構成が主流である（例えば、特許文献１参照）。また、同じように放熱性改善を目的とした他の装置構成としては、個々のＬＥＤ光源に対し放熱体を備えた発光ユニットを複数備えた構成が提案されている（例えば、特許文献２参照）。
【先行技術文献】
【特許文献】
【０００３】
【特許文献１】特開２０１０−２６２８４６号公報
【特許文献２】特表２００８−５４２９８２号公報
【発明の概要】
【発明が解決しようとする課題】
【０００４】
特許文献１のような構成では、大型の１つの放熱ヒートシンクで放熱しようとしているので、大光束化に伴い、ヒートシンク部分が大型化、重量化して、高コスト化につながる。
【０００５】
また、特許文献２のような構成では、ＬＥＤ光源と放熱モジュールとを小型のパッケージとして放熱する構造にしているが、ＬＥＤ光源の数および配置位置が予め定められているため、その個数調整や配置位置を容易に変更できないという欠点がある。すなわち、ある既定のサイズの器具で、光束や表面の発光強度分布を調整したい場合に、自由度が無く、個別の光学的要求仕様に合わせて、個々の装置を作らねばならず、コスト上昇要因となっている。
【０００６】
本発明は、上述のような課題を解決するためになされたもので、発光ユニットの搭載個数や配置の自由度が高く、同じ装置サイズにおいて、光束クラスあるいは表面発光強度分布の変更を容易に実現することができ、かつ組み立て性に優れた安価な発光装置を提供することを目的とする。
【課題を解決するための手段】
【０００７】
本発明に係る発光装置は、発光素子を有する複数の発光ユニットと、発光ユニットと発光ユニットとを連結する枠体と、を備え、枠体は、発光ユニットを固定する固定部を有するものである。
【発明の効果】
【０００８】
本発明によれば、発光ユニットの搭載個数や配置の自由度が高く、同じ装置サイズにおいて光束クラスあるいは表面発光強度分布の変更を容易に実現することができ、かつ組立性に優れた安価な発光装置を提供することが可能となる。
【図面の簡単な説明】
【０００９】
【図１】本発明の実施の形態１の発光装置を示す斜視図である。
【図２】図１に示す発光装置の分解斜視図である。
【図３】図１に示す発光装置が備える発光ユニット群の斜視図である。
【図４】図１に示す発光装置が備える発光ユニットおよび枠体の背面図である。
【図５】図１に示す発光装置が備える発光ユニット群にユニット支持体を取り付けた状態を斜め前から見た斜視図である。
【図６】本発明の実施の形態１の発光装置に発光ユニットを７個搭載する場合の発光ユニット群（ユニット支持体を取り付けた状態）を示す斜視図である。
【図７】本発明の実施の形態１の発光装置に発光ユニットを４個搭載する場合の発光ユニット群（ユニット支持体を取り付けた状態）を示す斜視図である。
【図８】図６に示す発光ユニット群の正面図である。
【図９】図７に示す発光ユニット群の正面図である。
【図１０】本発明の実施の形態１の発光装置が備える発光ユニットを斜め前から見た斜視図である。
【図１１】本発明の実施の形態１の発光装置が備える発光ユニットを斜め後ろから見た斜視図である。
【図１２】本発明の実施の形態１の発光装置が備える発光ユニットを斜め後ろから見た一部切欠き斜視図である。
【図１３】本発明の実施の形態２の発光装置に発光ユニットを７個搭載する場合の発光ユニット群（ユニット支持体を取り付けた状態）を示す斜視図である。
【図１４】図１３に示す発光ユニット群の正面図である。
【図１５】本発明の実施の形態３の発光装置に発光ユニットを６個搭載する場合の発光ユニット群（ユニット支持体を取り付けた状態）を示す斜視図である。
【図１６】図１５に示す発光ユニット群の正面図である。
【図１７】本発明の実施の形態４の発光装置を示す斜視図である。
【図１８】図１７に示す発光装置の分解斜視図である。
【図１９】図１７に示す発光装置が備える発光ユニット群の斜視図である。
【図２０】本発明の実施の形態４の発光装置における発光ユニット群（発光ユニットを３個搭載する場合）の斜視図である。
【図２１】本発明の実施の形態４の発光装置における発光ユニット群（発光ユニットを２個搭載する場合）の斜視図である。
【図２２】本発明の実施の形態４の発光装置が備える発光ユニットを斜め前から見た斜視図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の発光装置を示す斜視図である。図２は、図１に示す発光装置の分解斜視図である。図１に示す本発明の実施の形態１の発光装置１は、装置本体を天井面に埋め込み、発光面を床面に向けて照明するように使用されるダウンライトであり、例えば数千から数万ルーメンの大光束を発する照明装置として好適に使用されるものである。図１および図２に示すように、発光装置１は、発光ユニット群２と、反射体３と、透光板押さえ４と、透光板５と、表面反射枠６と、ユニット支持体７とを有している。発光ユニット群２は、複数（図１および図２では７個）の発光ユニット２０と、それらを支持する後述の支持機構とからなる。本発明の実施の形態１の発光装置１は、図１中での下向きに向かって光を投射する。本発明の実施の形態１の発光装置１の全体形状は、発光装置１が光を投射する方向から発光装置１を見たときに、略円形をなすような形状である。
【００１２】
以下では、発光装置１が光を投射する方向を前とし、その反対方向を後ろとして説明する。図２に示すように、ユニット支持体７は、発光ユニット群２の前方に取り付けられ、発光ユニット２０の前面側を支持する。ユニット支持体７には、発光ユニット２０のほか、透光板押さえ４と、表面反射枠６とが取り付けられる。透光板押さえ４は、透光板５および反射体３を、ユニット支持体７との間に挟み込むように、固定している。ユニット支持体７は、略円環状の形状を有している。
【００１３】
反射体３には、複数の個別開口３１が形成されている。この個別開口３１は、個々の発光ユニット２０が備える発光素子であるＬＥＤ（Ｌｉｇｈｔ  Ｅｍｉｔｔｉｎｇ  Ｄｉｏｄｅ）光源２１の発光部を個別に露出させる。反射体３は、例えば、高反射性樹脂材料で形成され、板状をなしている。反射体３は、ＬＥＤ光源２１の後方への不要な光漏れを防止する機能を有する。
【００１４】
透光板５は、反射体３の前面側に配置される。透光板５は、光源保護および配光制御の機能を有する。透光板５は、目的とする光質に合わせて、表面がクリアまたはブラスト状の、透光性樹脂もしくはガラス材で構成されることが好ましい。また、目的とする光質によっては、透光板５がレンズ機能を有していてもよい。
【００１５】
表面反射枠６は、反射体３および透光板５の外周を囲むように配置される。表面反射枠６は、金属を主材料とし、少なくとも内周面が拡散状あるいは高反射性の鏡面状であることが好ましい。表面反射枠６は、光を反射する配光制御機能、あるいは、グレア防止機能を有する。また、表面反射枠６には、天井面に発光装置１を埋め込んで設置する際に発光装置１を支持可能とする装置支持部６１が設けられている。
【００１６】
次に、発光ユニット群２の構成について説明する。図３は、図１に示す発光装置１が備える発光ユニット群２の斜視図である。ただし、図３では、図１に示す発光装置１の発光ユニット群２が備える７個の発光ユニット２０のうちの２個を取り外した状態を示す。図３に示すように、発光ユニット２０が光を投射する方向に平行な方向を「灯軸方向」と呼ぶ。また、以下の説明では、発光装置１が備える複数の発光ユニット２０を、便宜的に、中心発光ユニット２０ａと、周囲発光ユニット２０ｂとに、区別した名称および符号で呼ぶ場合がある。中心発光ユニット２０ａと周囲発光ユニット２０ｂとは、発光装置１内での組み込まれる位置が異なるのみで、構造は同じである。なお、中心発光ユニット２０ａおよび周囲発光ユニット２０ｂを総称する場合には、単に「発光ユニット２０」と呼ぶ。図３に示すように、発光ユニット群２は、発光装置１の中心部分に配置される一つの中心発光ユニット２０ａと、この中心発光ユニット２０ａに取り付けられた複数の枠体１２とを有している。枠体１２は、中心発光ユニット２０ａから径方向（灯軸方向に直交する方向）へ突出するように取り付けられている。複数の周囲発光ユニット２０ｂは、中心発光ユニット２０ａの周囲に配置される。枠体１２は、周囲発光ユニット２０ｂごとに設けられている。各周囲発光ユニット２０ｂは、対応する枠体１２に支持されている。枠体１２の長手方向の一端側に中心発光ユニット２０ａが取り付けられており、枠体１２の長手方向の他端側に周囲発光ユニット２０ｂが取り付けられている。中心発光ユニット２０ａと、各周囲発光ユニット２０ｂとは、枠体１２を介して、それぞれ相互の位置関係が固定されている。図１乃至図３の構成では、中心発光ユニット２０ａに対し、６組の枠体１２および周囲発光ユニット２０ｂが取り付けられている。
【００１７】
以下、発光ユニット２０と枠体１２との固定方法について、図３および図４を参照して、更に詳細に説明する。図４は、中心発光ユニット２０ａ、周囲発光ユニット２０ｂ、および枠体１２の取り付け構造を示す背面図である。図４の紙面に垂直な方向が灯軸方向である。図４中では、中心発光ユニット２０ａと、１組の周囲発光ユニット２０ｂおよび枠体１２のみを示す。発光ユニット２０は、ＬＥＤ光源２１の熱を放熱させる機能を有する放熱体２２を備える。図４に示すように、放熱体２２は、灯軸方向に垂直な断面の外形が放射状の形状をしている。放熱体２２は、等角度間隔で円周状に並ぶ複数のフィン２２ａを有する。枠体１２は、中心発光ユニット２０ａに対して固定される第１固定部１２ａと、周囲発光ユニット２０ｂに対して固定される第２固定部１２ｂとを有する。第１固定部１２ａは枠体１２の長手方向の一端側に形成され、第２固定部１２ｂは枠体１２の長手方向の他端側に形成されている。本実施の形態１では、枠体１２は、１８０°回転対称の形状である。すなわち、第１固定部１２ａと第２固定部１２ｂとは、同じ形状および構造である。第１固定部１２ａおよび第２固定部１２ｂには、発光ユニット２０の外径に比べてやや大きい略円形の開口がそれぞれ形成されている。また、枠体１２は、第１固定部１２ａと第２固定部１２ｂとの間に、風路１２２を形成するための開口を有する。本実施の形態１の枠体１２では、風路１２２となる開口と、第１固定部１２ａの開口と、第２固定部１２ｂの開口とが、枠体１２の中で一つにつながっている。このような構成に限らず、風路１２２となる開口と、第１固定部１２ａの開口と、第２固定部１２ｂの開口とがつながらずに分離していてもよい。
【００１８】
中心発光ユニット２０ａと枠体１２とは、第１固定部１２ａの開口に中心発光ユニット２０ａを挿入した状態で固定される。第１固定部１２ａには、中心発光ユニット２０ａの放熱体２２のフィン２２ａとフィン２２ａとの間の空間２２ｂに、嵌め合うように構成された、突起部１２１が形成されている。枠体固定ねじ１３は、突起部１２１に形成されたねじ穴に螺合している。枠体固定ねじ１３を締め付けると、枠体固定ねじ１３の先端が突起部１２１の頂部から突出し、放熱体２２のフィン２２ａとフィン２２ａとの谷間に押し当てられる。これにより、中心発光ユニット２０ａと枠体１２とが固定される。本実施の形態１では、第１固定部１２ａに３箇所の突起部１２１が設けられているが、第１固定部１２ａの突起部１２１の数はいくつでも良い。
【００１９】
同様にして、周囲発光ユニット２０ｂと枠体１２とは、第２固定部１２ｂの開口に周囲発光ユニット２０ｂを挿入した状態で固定される。第２固定部１２ｂには、周囲発光ユニット２０ｂの放熱体２２のフィン２２ａとフィン２２ａとの間の空間２２ｂに、嵌め合うように構成された、突起部１２１が形成されている。枠体固定ねじ１３は、突起部１２１に形成されたねじ穴に螺合している。枠体固定ねじ１３を締め付けると、枠体固定ねじ１３の先端が突起部１２１の頂部から突出し、放熱体２２のフィン２２ａとフィン２２ａとの谷間に押し当てられる。これにより、周囲発光ユニット２０ｂと枠体１２とが固定される。本実施の形態１では、第２固定部１２ｂに３箇所の突起部１２１が設けられているが、第２固定部１２ｂの突起部１２１の数はいくつでも良い。
【００２０】
以上のようにして、中心発光ユニット２０ａと周囲発光ユニット２０ｂとを、枠体１２を介して、連結および固定することができる。本実施の形態１では、第１固定部１２ａあるいは第２固定部１２ｂの開口に発光ユニット２０を挿入し、放射状に突出したフィン２２ａとフィン２２ａとの間の空間２２ｂに突起部１２１を嵌め合わせた状態で固定するので、簡単な構造で確実に固定することができる。なお、発光装置１が備える他の周囲発光ユニット２０ｂと、枠体１２と、中心発光ユニット２０ａとの固定構造も、上記と同じである。図４に示すように、枠体１２は、第１固定部１２ａに固定される発光ユニット２０と、第２固定部１２ｂに固定される発光ユニット２０との間に、空気が通過可能な風路１２２を形成する。発光装置１では、この風路１２２を空気が灯軸方向に流れることにより、良好な放熱性が得られる。第１固定部１２ａと第２固定部１２ｂとの距離は、枠体１２に取り付けられた一対の発光ユニット２０の間に形成される風路１２２の大きさが、必要な放熱特性が得られる以上の大きさになるように設定されている。
【００２１】
図３に示すように、中心発光ユニット２０ａに取り付けられた複数の枠体１２は、中心発光ユニット２０ａを中心として回転する方向の取り付け角度が、互いに異なるようにされている。これにより、複数の周囲発光ユニット２０ｂを、中心発光ユニット２０ａを中心とする円の円周上に、適切な間隔をあけて配置することができる。このため、良好な光質が得られる。個々の枠体１２の、中心発光ユニット２０ａを中心として回転する方向の取り付け角度は、発光装置１への発光ユニット２０の搭載個数に応じて、変更することができる。これらの構成により、周囲発光ユニット２０ｂの配置の自由度を高くすることができる。
【００２２】
図４に示すように、枠体１２を取り付ける位置における発光ユニット２０の断面の外形、すなわち放熱体２２の断面の形状は、回転対称な形状である。放熱体２２の複数のフィン２２ａは、発光ユニット２０の中心軸（灯軸）に対して、等角度間隔に配置されていることが望ましい。図示の構成では、放熱体２２は、等角度間隔に放射状に並ぶ２４枚のフィン２２ａを有する。したがって、フィン２２ａとフィン２２ａとの間の空間２２ｂの数も２４個であり、２４個の空間２２ｂが発光ユニット２０の中心軸（灯軸）に対して等角度間隔に形成される。枠体１２の突起部１２１を放熱体２２のフィン２２ａとフィン２２ａとの間の空間２２ｂに嵌め合わせることにより、枠体１２の突起部１２１の位置は、放熱体２２の空間２２ｂに拘束される。このため、枠体１２の中心発光ユニット２０ａに対する取り付け角度は、フィン２２ａの間隔に等しい角度ごとに位置決めされる。図示の構成では、放熱体２２のフィン２２ａが２４枚であり、空間２２ｂも２４箇所であるので、発光ユニット２０ａに対する枠体１２の取り付け角度は、（３６０／２４）°ごと、すなわち１５°ごとに位置決めされる。
【００２３】
上述した構成により、枠体１２を中心発光ユニット２０ａに取り付ける際に、中心発光ユニット２０ａに対する枠体１２の取り付け角度を微調整する必要がなく、枠体１２を適切な角度（例えば、複数の周囲発光ユニット２０ｂが回転対称になる角度）に取り付けることが可能となり、作業を容易にすることができる。フィン２２ａの数が２４枚以外の場合にも同様の効果が得られる。すなわち、フィンの枚数がＮ枚である場合には、中心発光ユニット２０ａに対する取り付け角度は、Ｎ枚のフィン２２ａによって形成されるＮ個の空間２２ｂに拘束される。したがって、枠体１２の中心発光ユニット２０ａに対する取り付け角度は、（３６０／Ｎ）°ごとに位置決めされる。
【００２４】
このため、中心発光ユニット２０ａに対して、周囲発光ユニット２０ｂの数が、フィン２２ａの枚数以下であれば、（３６０／Ｎ）°ごとの間隔で、複雑な位置決め機構を設けることなく、周囲発光ユニット２０ｂを、中心発光ユニット２０ａの周辺に位置決めすることが可能となる。適切な周囲発光ユニット２０ｂの個数を選択することにより、中心発光ユニット２０ａに対する複数の枠体１２の取り付け角度を調整することが可能となり、中心発光ユニット２０ａに対して、複数の周囲発光ユニット２０ｂを回転対称に配置することや、回転対称でかつ均等間隔に配置することが可能となり、良好な光質を得ることができる。
【００２５】
このように、本実施の形態１では、放熱体２２にＮ枚のフィン２２ａを等角度間隔で放射状に設けることにより、発光ユニット２０に対して枠体１２を取り付ける位置を、発光ユニット２０を中心として回転する方向に、（３６０／Ｎ）°ごとに位置決めする位置決め手段としての機能が得られる。これにより、上述したような利点がある。この場合、良好な光質を得る上では、Ｎが３以上であることが望ましい。
【００２６】
放熱体２２は、灯軸方向に垂直な断面での外形が、灯軸方向に沿って変化しない部分を有する。このため、枠体固定ねじ１３で固定していない状態において、枠体１２が発光ユニット２０の灯軸方向に自由に移動可能である。したがって、枠体１２の中心発光ユニット２０ａに対する取り付け位置は、発光ユニット２０の灯軸方向に、変更可能である。これにより、複数の枠体１２を中心発光ユニット２０ａに取り付ける場合においても、個々の枠体１２を中心発光ユニット２０ａの灯軸方向にずらして固定することにより、枠体１２同士の干渉を防ぐことが可能となる（図３参照）。また、本実施の形態１では、枠体１２の第１固定部１２ａおよび第２固定部１２ｂを、発光ユニット２０の放熱体２２に固定する。一般に、放熱体２２は、大きな放熱面積を確保するために、発光ユニット２０において大きい部分を占める。このため、放熱体２２に枠体１２を固定する構成にすることにより、発光ユニット２０に対する枠体１２の取り付け位置の調整範囲を大きくすることができる。
【００２７】
また、放熱体２２に、発光ユニット２０の搭載個数に応じて、個々の枠体１２の取り付け位置を示す、例えば切り欠き線等のマーキング（図示省略）を予め施しておいても良い。このようにすることにより、組立時に、個々の枠体１２を適切な位置に容易に取り付けることができる。例えば、本実施の形態１の例で言えば、放熱体２２のフィン２２ａが２４枚で、周囲発光ユニット２０ｂの個数を６個とするならば、空間２２ｂのところに、フィン２２ａが４枚（２４／６）ごとにマーキングを入れておけば良い。これにより、枠体１２の突起部１２１をこのマーキングに合わせて、中心発光ユニット２０ａに対して、枠体１２を取り付ければ、位置決めを簡単にすることが可能となる。
【００２８】
図５は、発光ユニット群２にユニット支持体７を取り付けた状態を斜め前から見た斜視図である。本実施の形態１では、発光ユニット２０の発光装置１への固定には、複数の周囲発光ユニット２０ｂの前面側を一括して支持することが可能なユニット支持体７を設けている。図５に示すように、ユニット支持体７と周囲発光ユニット２０ｂとは、ユニット固定ねじ１５にて固定される。ユニット支持体７には、ユニット固定ねじ１５の太さよりもやや幅の広い、ねじ案内溝７１が設けられている。周囲発光ユニット２０ｂには、ユニット固定ねじ１５が螺合するねじ穴が形成されている。ねじ案内溝７１にユニット固定ねじ１５を通し、ユニット固定ねじ１５を締め付けることにより、ユニット支持体７が発光ユニット２０の前面に固定される。ねじ案内溝７１は、中心発光ユニット２０ａを中心とする円弧状をなしている。このため、中心発光ユニット２０ａに対する枠体１２の取り付け角度を変化させても、ユニット固定ねじ１５をねじ案内溝７１に通すことができる。よって、周囲発光ユニット２０ｂの取り付け位置の自由度の高さを維持したまま、ユニット支持体７へ固定することができる。ユニット支持体７により、発光ユニット群２の発光装置１への固定、および、発光ユニット２０同士の固定を補強することが可能となる。
【００２９】
なお、ユニット支持体７のねじ案内溝７１近傍に、発光ユニット２０の取り付け位置を示す、例えば切り欠き線等のマーキング（図示省略）を入れても良い。そのようにしておけば、発光ユニット２０の発光装置１に対する取り付け角度の調整を容易に行うことができる。その結果、複数の発光ユニット２０同士の位置関係は、枠体１２により固定され、発光ユニット群２の発光装置１に対する位置も、容易に、適切な位置に取り付けることができ、良好な光質を得ることが可能となる。なお、ユニット支持体７は、発光ユニット２０の前面側で、発光ユニット２０を固定しているが、前面側に限らず、後方でもかまわない。
【００３０】
本実施の形態１では、ユニット支持体７を使用して、発光ユニット群２の発光装置１への固定、および、発光ユニット２０同士の固定を補強する場合を例に説明しているが、枠体１２による発光ユニット２０の固定の強度が十分であるならば、ユニット支持体７を用いずに、発光ユニット群２と、反射体３、透光板５、透光板押さえ４、表面反射枠６等とを固定する構成としても良い。
【００３１】
図６は、発光ユニット２０を合計７個搭載する場合の発光ユニット群２（ユニット支持体７を取り付けた状態）を示す斜視図である。図７は、発光ユニット２０を合計４個搭載する場合の発光ユニット群２（ユニット支持体７を取り付けた状態）を示す斜視図である。図８は、図６に示す発光ユニット群２の正面図である。図９は、図７に示す発光ユニット群２の正面図である。
【００３２】
図６および図８に示す構成は、図１乃至図３に示す構成と同様であり、中心発光ユニット２０ａに、６個の周囲発光ユニット２０ｂをそれぞれ枠体１２を介して取り付けている。６個の周囲発光ユニット２０ｂは、中心発光ユニット２０ａを中心として、（３６０／６）°間隔、すなわち６０°間隔で取り付けられている。このため、６個の周囲発光ユニット２０ｂは、中心発光ユニット２０ａを中心として６０°回転したときに同じ配置になるような回転対称に配置されている。更に、周囲発光ユニット２０ｂ同士の間隔が、回転対称の中心に対して、等角度間隔になっている。このようなことから、良好な光質を得ることが可能となる。
【００３３】
図７および図９に示す構成は、中心発光ユニット２０ａに、３個の周囲発光ユニット２０ｂをそれぞれ枠体１２を介して取り付けている。この構成では、図７および図９に示す構成は、図６および図８に示す構成に比べて、枠体１２、ユニット支持体７、発光ユニット２０等の部品はすべて共通であり、発光ユニット２０と枠体１２との固定方法、発光ユニット２０とユニット支持体７との固定方法なども同様である。
【００３４】
図７および図９に示す構成では、３個の周囲発光ユニット２０ｂは、中心発光ユニット２０ａを中心として、（３６０／３）°間隔、すなわち１２０°間隔で取り付けられている。このため、３個の周囲発光ユニット２０ｂは、中心発光ユニット２０ａを中心として１２０°回転したときに同じ配置になるような回転対称に配置されている。更に、周囲発光ユニット２０ｂ同士の間隔が、回転対称の中心に対して、等角度間隔になっている。このようなことから、良好な光質を得ることが可能となる。
【００３５】
このように、本実施の形態１の発光装置１によれば、発光ユニット２０の搭載個数が異なる場合にも、発光ユニット２０を固定する枠体１２として、同一の部品を用いて構成することが可能である。このため、発光ユニット２０の搭載個数や配置の自由度が高く、同じ装置サイズにおいて光束クラスあるいは表面発光強度分布の変更を、低コストで容易に実現することができる。また、発光ユニット２０の搭載個数を変更した場合であっても、複数の発光ユニット２０を回転対称に配置したり、等間隔に配置したりすることが可能となるので、何れの場合においても、良好な光質を得ることが可能となる。
【００３６】
また、発光ユニット２０の搭載個数については、周囲発光ユニット２０ｂを３個以上搭載すれば、中心発光ユニット２０ａの中心軸（すなわち発光装置１の中心軸）に対して、回転対称な光源配置にすることが可能であり、良好な光質を得ることが可能となる。なお、周囲発光ユニット２０ｂを、発光装置１の中心軸に対して、１８０°ずらして２個配置した場合も、回転対称であるが、光源の並ぶ方向と、その方向に直交する方向（光源の並ばない方向）とに、明確に異方性が出てしまうので、２個搭載の場合は、３個以上搭載の回転対称な配置に比べ、良好な光質は得られない。もちろん、配光の異方性が、殆ど問題とならない用途（例えば、高天井用器具、投光器など、特に大光束を扱う器具）であれば、周囲発光ユニット２０ｂを２個配置した場合も、問題ない。
【００３７】
以上のようなことから、本発明では、良好な光質を得るため、３個以上の周囲発光ユニット２０ｂを発光装置１に搭載することが望ましい。また、本発明では、Ｎを３以上の整数としたとき、発光装置１に搭載した３個以上の周囲発光ユニット２０ｂが、発光装置１の中心軸を中心に（３６０／Ｎ）°回転したときに同じ配置になるような回転対称に配置されることが望ましい。これにより、更に良好な光質を得ることが可能となる。
【００３８】
ここで、放熱体２２と枠体１２との取り付けの角度調整について更に説明する。周囲発光ユニット２０ｂの搭載個数が２４個以下であれば、本実施の形態１のような２４枚のフィン２２ａをもつ放熱体２２で対応することが可能となる。特に、周囲発光ユニット２０ｂの搭載個数が、２４の約数で、かつ３以上の約数である、３、４、６、８、１２、または２４の場合には、それらの周囲発光ユニット２０ｂを、中心発光ユニット２０ａを中心にして、回転対称かつ等間隔に配置可能となり、良好な光質を得ることが可能となる。すなわち、例えば、６個の周囲発光ユニット２０ｂを搭載する場合（図６）には、中心発光ユニット２０ａに対する６個の枠体１２の取り付け角度を６０°間隔（すなわち、フィン２２ａを４枚ごと）にすれば良く、３個の周囲発光ユニット２０ｂを搭載する場合（図７）には、中心発光ユニット２０ａに対する３個の枠体１２の取り付け角度を１２０°間隔（すなわち、フィン２２ａを８枚ごと）にすれば良い。
【００３９】
また、図示の構成と異なり、フィン２２ａが１２枚であり、フィン２２ａとフィン２２ａとの間の空間２２ｂが１２箇所ある場合には、中心発光ユニット２０ａに対する枠体１２の取り付け角度は、（３６０／１２）°ごと、すなわち３０°ごとに位置決めされる。１２の約数で、かつ３以上の約数は、３、４、６、１２であるので、周囲発光ユニット２０ｂの搭載個数が、３個、４個、６個、または１２個の場合に、これらの周囲発光ユニット２０ｂを、中心発光ユニット２０ａを中心にして、回転対称かつ等間隔に配置可能となる。すなわち、３個の周囲発光ユニット２０ｂを搭載する場合には、中心発光ユニット２０ａに対する３個の枠体１２の取り付け角度を１２０°間隔にすれば良く、４個の発光ユニット２０を搭載する場合には、中心発光ユニット２０ａに対する４個の枠体１２の取り付け角度を９０°間隔にすれば良く、６個の周囲発光ユニット２０ｂを搭載する場合には、中心発光ユニット２０ａに対する６個の枠体１２の取り付け角度を６０°間隔にすれば良く、１２個の周囲発光ユニット２０ｂを搭載する場合には、中心発光ユニット２０ａに対する１２個の枠体１２の取り付け角度を３０°間隔にすれば良い。
【００４０】
以上のことから、本発明では、次のように構成することが好ましい。まず、Ｎを３以上の整数とし、枠体１２を取り付ける位置を、中心発光ユニット２０ａを中心として回転する方向に、（３６０／Ｎ）°ごとに位置決めする位置決め手段を設ける。そして、Ｎの約数で、かつ３以上の数をＭとしたとき、Ｍ個の周囲発光ユニット２０ｂを発光装置１に搭載することが好ましい。これにより、Ｍ個の周囲発光ユニット２０ｂを、中心発光ユニット２０ａを中心にして、回転対称かつ等間隔に配置可能となり、良好な光質を得ることが可能となる。あるいは、本発明では、次のように構成しても良い。上記Ｎから上記Ｍを引いた数で、かつ３以上の数をＰとしたとき、Ｐ個の周囲発光ユニット２０ｂを発光装置１に搭載する。このような構成の場合、Ｐ個の周囲発光ユニット２０ｂを、中心発光ユニット２０ａを中心にして、等間隔ではないが、回転対称に配置可能となり、良好な光質を得ることが可能となる。例えば、Ｎ＝１２、Ｍ＝３、Ｐ＝１２−３＝９の場合には、９個の枠体１２および周囲発光ユニット２０ｂを、中心発光ユニット２０ａに対する取り付け角度が、０°、３０°、６０°、１２０°、１５０°、１８０°、２４０°、２７０°、３００°の位置にそれぞれ取り付ける。これにより、９個の周囲発光ユニット２０ｂの配置を、中心発光ユニット２０ａを中心に１２０°回転したときに同じ配置になるような回転対称にすることができる。また、Ｎ＝１２、Ｍ＝４、Ｐ＝１２−４＝８の場合には、８個の枠体１２および周囲発光ユニット２０ｂを、中心発光ユニットａに対する取り付け角度が、０°、３０°、９０°、１２０°、１８０°、２１０°、２７０°、３００°の位置にそれぞれ取り付ける。これにより、８個の周囲発光ユニット２０ｂの配置を、中心発光ユニット２０ａを中心に９０°回転したときに同じ配置になるような回転対称にすることができる。
【００４１】
上述したように、放熱体２２のフィン２２ａの枚数をＮ枚とする構成は、中心発光ユニット２０ａに対する枠体１２の取り付け角度を（３６０／Ｎ）°ごとに位置決めする位置決め手段としての機能を有しており、周囲発光ユニット２０ｂの位置決めが簡単に行えるという優れた効果が得られる。すなわち、周囲発光ユニット２０ｂの個数と取り付け角度を、適切に選択することにより、回転対称や、等間隔に、容易に配置可能となる。特に、Ｎの約数が多い場合には、周囲発光ユニット２０ｂを、回転対称や、等間隔に配置する多様性が増す効果をもつ。
【００４２】
ここで、反射体３に関しては、発光ユニット２０を、７個搭載する場合と、４個搭載する場合とで、異なる部品が必要になるので、発光ユニット２０の搭載個数に応じて用意する必要がある。しかしながら、本実施の形態１の反射体３は、板状で、穴（個別開口３１）が開いているだけの構成であるので、部品製造時に複雑な金型等を必要としない。例えば、反射体３の外形をカットする型と、内部の穴（個別開口３１）をカットする型とを用意すれば、発光ユニット２０の数を変更した場合にも対応が容易である。
【００４３】
また、反射体３の個々の穴（個別開口３１）の形状を、前方に向かって径が拡大する、円錐台状の内周面を有する形状にしても良い。そのような構成の反射体３の場合には、部品の製造過程が複雑になるという問題はあるが、光源から側方に発せられて反射体３の穴（個別開口３１）の内周面に当たった光線を反射して前方に投射することができるため、装置の発光効率が増すという効果を得られる。
【００４４】
また、発光装置１の内部の構造が見えるという意匠的な問題と、装置の発光効率が幾分低くなるという問題とが許容できる場合には、反射体３を設けないようにしてもよい。反射体３を設けないようにすれば、発光ユニット２０の搭載個数が異なる場合であっても、使用する部品をすべて共通化することができ、製造工程が完全に同一になるという効果を得られる。
【００４５】
以上のように、本実施の形態１の発光装置１は、発光ユニット２０の搭載個数や配置の自由度が高く、同じ発光装置１の大きさにおいて、光束クラスあるいは表面発光強度分布の変更を容易に実現することができる。特に、１種類または少ない種類の枠体１２を用いて上記効果を達成することができ、部品コストが低減する。また、本実施の形態１の発光装置１には、複数の発光ユニット２０および枠体１２が組み込まれるが、何れも同一の形状の発光ユニット２０および枠体１２を用いることができるため、同一の製造工程で発光装置１に組み込むことが可能である。すなわち、発光ユニット２０の搭載個数が異なっても、異種の部品を使用することがなく、同一の手順で組み込むことが可能なので、組み立て性も良好である。また、複数の発光ユニット２０をどのように配置した場合であっても、発光ユニット２０と発光ユニット２０とを枠体１２を介して連結することにより、発光ユニット２０と発光ユニット２０との間に、十分な大きさの風路１２２を形成することができるので、放熱性を良好にすることができる。更に、本実施の形態１では、ユニット支持体７を設け、発光ユニット２０同士の固定強度を増しているので、例えば輸送時等に発光装置１に荷重や振動が作用する場合にも、発光ユニット２０同士の取り付け位置のずれ等を確実に防ぐことが可能である。
【００４６】
次に、本実施の形態１の発光ユニット２０の構成について説明する。図１０は、本実施の形態１の発光装置１が備える発光ユニット２０を斜め前から見た斜視図である。図１１は、本実施の形態１の発光装置１が備える発光ユニット２０を斜め後ろから見た斜視図である。図１０および図１１に示すように、本実施の形態１の発光ユニット２０は、発光素子であるＬＥＤ光源２１と、ＬＥＤ光源２１を取り付ける光源取り付け板２３と、光源取り付け板２３のＬＥＤ光源２１を取り付ける面と反対側の面に接触して設けられた板状の放熱体取り付け板２４と、放熱体取り付け板２４の光源取り付け板２３を取り付ける面と反対側の面に接触して取り付けられた放熱体２２（ヒートシンク）とを有している。ＬＥＤ光源２１は、光源取り付け板２３の前面に取り付けられている。本実施の形態１では、ＬＥＤ光源２１は、光源固定ねじ２６により光源取り付け板２３に固定されているが、例えばクリップやソケット等の他の固定方法により固定されていても良い。
【００４７】
光源取り付け板２３の構成材料は、セラミックス材料、特に、アルミナ等のファインセラミックス材料であることが好ましい。放熱体取り付け板２４の構成材料は、例えばアルミニウム、または、アルミニウム合金等の金属材料であることが好ましい。放熱体取り付け板２４を熱伝導率の高い金属製にすることにより、ＬＥＤ光源２１からの熱の放熱体２２への熱伝導性を向上することができる。光源取り付け板２３をセラミックス製にすることにより、ＬＥＤ光源２１と、放熱体取り付け板２４および放熱体２２とを確実に絶縁しつつ、良好な放熱性が得られる。光源取り付け板２３と放熱体取り付け板２４とは、隙間無く接触している。これにより、光源取り付け板２３と放熱体取り付け板２４との間の伝熱を促進し、その結果、放熱体２２での放熱性を向上することができる。また、放熱体取り付け板２４がアルミニウム製またはアルミニウム合金である場合には、放熱体取り付け板２４の表面にアルマイト処理が施されていることが好ましい。放熱体取り付け板２４の表面にアルマイト処理を施すことにより、放射率を高めることができ、放熱性を更に向上することができる。
【００４８】
ＬＥＤ光源２１の基板と、光源取り付け板２３との間に、接触熱抵抗を抑えるための薄い熱伝導シートまたはグリスを介在させても良い。また、本実施の形態１では、ＬＥＤ光源２１に給電する給電線２５は、ＬＥＤ光源２１上の接続端子に、はんだ付けで直結されている。本実施の形態１では、ＬＥＤ光源２１の基板は、アルミニウムで構成されているものとするが、セラミックスなどの他の基板材料でもよい。
【００４９】
放熱体２２は、放熱体取り付け板２４に接触して設けられている。放熱体２２は、例えばアルミニウムまたはアルミニウム合金等の金属製であることが好ましい。放熱体２２を熱伝導率の高い金属製にすることにより、放熱性を向上することができる。放熱体２２がアルミニウム製またはアルミニウム合金製である場合には、放熱体２２の表面にアルマイト処理を施すことにより、放射性を高めることができ、放熱性を更に向上することができる。
【００５０】
図５に示すように、本実施の形態１では、ユニット支持体７は、発光ユニット２０の光源取り付け板２３に対してユニット固定ねじ１５により固定される。ただし、ユニット固定ねじ１５は、光源取り付け板２３を貫通して放熱体取り付け板２４や、放熱体２２まで達していても良い。
【００５１】
本実施の形態１では、発光ユニット２０が備えるＬＥＤ光源２１は、給電端子を備えた金属基板もしくは、セラミック基板に複数のＬＥＤベアチップを直接に実装して樹脂封止することにより構成された、チップ・オン・ボード（Ｃｈｉｐ  Ｏｎ  Ｂｏａｒｄ）タイプのＬＥＤ光源である。このため、従来のパッケージ型ＬＥＤチップを複数搭載して所望の光束を得るよりも、実装面積が小さくすることが可能で、発光ユニット２０の大きさも小さくすることができる。その結果、発光装置１全体を小型化、軽量化することができる。特に、本実施の形態１におけるＬＥＤ光源２１としては、例えば、基板上に複数の青色系のＬＥＤベアチップを配置し、黄色系蛍光体混合の樹脂材料で封止した白色発光のチップ・オン・ボードタイプのＬＥＤ光源を好ましく用いることができる。
【００５２】
図１２は、本実施の形態１の発光装置１が備える発光ユニット２０を斜め後ろから見た一部切欠き斜視図である。図１２では、説明の都合上、放熱体２２の一部の領域を切り欠いて除去した状態を示している。図１２に示すように、本実施の形態１における放熱体２２は、円筒形の支柱部と、この支柱部から放射状に外側に突出する複数のフィン２２ａとを有する形状をなしている。本実施の形態１では、放熱体２２は、内部が空洞になっている。これにより、放熱体２２の表面積の拡大と軽量化が図れる。ＬＥＤ光源２１に接続された給電線２５は、光源取り付け板２３と、放熱体取り付け板２４と、放熱体２２の前壁とを貫通する穴を通り、放熱体２２内の空洞を通して、電力供給用の外部電源に接続される。
【００５３】
以上のように、本実施の形態１の発光装置１では、個々の発光ユニット２０に放熱体２２（ヒートシンク）を備えたことにより、個々の発光ユニット２０が放熱機能を持つ構成になっている。このため、大光束が要求される発光装置１の場合にも、ＬＥＤ光源２１の熱を放熱する放熱性が良好であり、高い発光効率が得られる。また、一体形の大型のヒートシンクを設ける構成に比べて、小型化および軽量化に有利である。
【００５４】
実施の形態２．
次に、図１３および図１４を参照して、本発明の実施の形態２について説明するが、上述した実施の形態１との相違点を中心に説明し、同一部分または相当部分は同一符号を付し説明を省略する。
【００５５】
図１３は、本実施の形態２の発光装置が備える発光ユニット群２Ａ（ユニット支持体７を取り付けた状態）を示す斜視図である。図１４は、図１３に示す発光ユニット群２Ａの正面図である。これらの図に示すように、本実施の形態２の発光装置は、実施の形態１の発光ユニット群２に代えて、発光ユニット群２Ａを備えている。
【００５６】
本実施の形態２の発光ユニット群２Ａは、実施の形態１の枠体１２に代えて、長さの異なる２種類の枠体１２０ａ，１２０ｂを備えている。枠体１２０ｂは、枠体１２０ａに比べて、長さが短い。発光ユニット群２Ａは、中心発光ユニット２０ａと、３個の枠体１２０ａと、３個の枠体１２０ｂと、６個の周囲発光ユニット２０ｂとを備えている。
【００５７】
図１３に示すように、枠体１２０ａと、枠体１２０ｂとは、中心発光ユニット２０ａを中心とする回転方向において、交互に配置されている。また、隣接する枠体１２０ａ、枠体１２０ｂの間隔は、６０°になっている。ユニット支持体７には、円弧状のねじ案内溝７１が設けられている。長い方の枠体１２０ａに支持された周囲発光ユニット２０ｂと、ユニット支持体７とは、ねじ案内溝７１に通したユニット固定ねじ１５によって固定されている。
【００５８】
以上説明した本実施の形態２の発光装置では、長さの異なる２種類の枠体１２０ａ，１２０ｂを設けたことにより、複数の周囲発光ユニット２０ｂを、中心発光ユニット２０ａを中心とする同心円（複数の円）の円周上に配置することができる。このため、本実施の形態２によれば、実施の形態１の発光装置１のようにすべての周囲発光ユニット２０ｂを一つの円の円周上に配置する場合に比べて、発光装置の中心近傍に光源を寄せることが可能となる（図１４参照）。これにより、本実施の形態２の発光装置は、良好な光質を得ることができる。
【００５９】
本実施の形態２では、長さの異なる２種類の枠体１２０ａ，１２０ｂを備える構成について説明したが、本発明の発光装置では、長さの異なる３種類以上の枠体を設けるようにしてもよい。本発明の発光装置では、長さの異なる複数種類の枠体を設けることにより、複数の発光ユニットの配置の自由度を更に高めることが可能となる。例えば、大型の発光装置の場合には、複数の発光ユニット２０を単純に中心に寄せるのではなく、広い領域に多数の発光ユニットを分散して配置する等の設計的要求にも対応可能であり、より多様性のある表面発光強度分布に対応が可能となる。
【００６０】
実施の形態３．
次に、図１５および図１６を参照して、本発明の実施の形態３について説明するが、上述した実施の形態との相違点を中心に説明し、同一部分または相当部分は同一符号を付し説明を省略する。
【００６１】
図１５は、本実施の形態３の発光装置が備える発光ユニット群２Ｂ（ユニット支持体７を取り付けた状態）を示す斜視図である。図１６は、図１５に示す発光ユニット群２Ｂの正面図である。これらの図に示すように、本実施の形態３の発光装置は、実施の形態１の発光ユニット群２に代えて、発光ユニット群２Ｂを備えている。
【００６２】
本実施の形態３の発光ユニット群２Ｂは、構成する部品は実施の形態１と同じであるが、中心発光ユニット２０ａを配置しない点で実施の形態１と異なる。中心発光ユニット２０ａを配置せずに、枠体１２を介して周囲発光ユニット２０ｂ同士を連結することにより固定している。実施の形態３では、周囲発光ユニット２０ｂの数は、特に限定されないが、３個以上が好ましく、図１５および図１６に示す例では、６個である。そして、枠体１２を取り付ける角度を、（３６０／６）°ごと、すなわち６０°ごとに回転させて、周囲発光ユニット２０ｂ同士を固定している。ここで、枠体１２は、１８０°回転させても同じ形状である回転対称な形状であるので、向かい合う枠体１２同士は、同じ方向を向いて配置される。図１６に示すように、本実施の形態３では、６個の周囲発光ユニット２０ｂが、６個の枠体１２を介して、環状に連結された構成となっている。
【００６３】
例えば、発光ユニット２０を合計６個搭載したい場合などのときは、実施の形態１のように、中心発光ユニット２０ａを１個と周囲発光ユニット２０ｂを５個の構成とすると、放熱体２２のフィン２２ａが２４枚の場合には、５つの周囲発光ユニット２０ｂを回転対称かつ等間隔に配置することはできない。そのような場合には、周囲発光ユニット２０ｂだけで構成した実施の形態３のような構成も、有効である。このように、中心発光ユニット２０ａを搭載しない構成にすることにより、中心発光ユニット２０ａを搭載する構成と合わせて、さらに、発光ユニット２０の搭載個数や配置の自由度を高くすることが可能となる。本実施の形態３では、３個以上の周囲発光ユニット２０ｂを、それと同数の枠体１２を介して、環状に連結することにより、上記の効果が得られる。
【００６４】
実施の形態４．
次に、図１７乃至図２２を参照して、本発明の実施の形態４について説明するが、上述した実施の形態との相違点を中心に説明し、同一部分または相当部分は同一符号を付し説明を省略する。
【００６５】
図１７は、本発明の実施の形態４の発光装置を示す斜視図である。図１８は、図１７に示す発光装置の分解斜視図である。図１９は、図１７に示す発光装置が備える発光ユニット群の斜視図である。これらの図に示す本実施の形態４の発光装置１０１は、装置本体を天井面から吊り下げ、発光面を床面に向けて照明するように使用される高天井用器具であり、例えば数千から数万ルーメンの大光束を発する照明装置として好適に使用されるものである。図１８に示すように、発光装置１０１は、４個の発光ユニット２０ｃを含んで構成される発光ユニット群２Ｃを外枠１０２で覆い、発光ユニット固定板１０３にて、外枠１０２と発光ユニット群２Ｃとを固定している。発光ユニット２０ｃと枠体１２０ｃの固定方法については、実施の形態１〜３の構成と同様である。本発明では、図１７および図１８に示す発光装置１０１の構成のように、中心に発光ユニット２０を配置することを初めから想定しない構成としても良い。
【００６６】
図２２は、本実施の形態４の発光ユニット２０ｃを示す斜視図である。図２２に示すように、本実施の形態４の発光ユニット２０ｃの基本的な構成は、前述した発光ユニット２０と同じである。発光ユニット２０ｃは、ＬＥＤ光源２１０と、放熱体２２０とを有する。放熱体２２０は、放射状に配置された複数のフィン２２０ａを有する。フィン２２０ａの間には空間２２０ｂが形成される。発光ユニット２０ｃは、更に、反射体３０と、透光板５０と、表面反射枠６０とを有する。このように、本実施の形態４では、発光ユニット２０ｃに、光学部品を取り付けて、光学的機能を具備させる。これにより、発光装置１０１全体の構成を、より単純な構成とすることが可能となる。図１８では、発光ユニット固定板１０３にて、外枠１０２と発光ユニット群２Ｃとを固定しているが、発光装置１０１の意匠的な問題や、後方への光漏れ等が、許容できるならば、発光ユニット固定板１０３を使用せずに、発光ユニット群２Ｃを、直接外枠１０２と固定してもよい。あるいは、発光ユニット群２Ｃを直接、天井等に取り付けて、発光装置としても良い。特に、大型で、大光束であり、あまり配光形状や異方性が問題とならない高天井器具などに好適な構成である。
【００６７】
ここで、発光ユニット２０ｃと枠体１２０ｃの角度調整について説明する。発光ユニット２０ｃの放熱体２２０は、フィン２２０ａを２４枚具備している。図１９に示すように、４個の発光ユニット２０ｃは、４個の枠体１２０ｃを介して、環状に連結されている。この場合、発光ユニット２０ｃに対して、枠体１２０ｃの取り付け角度を、（３６０／４）°ごと、すなわち９０°ごとに回転させて、発光ユニット２０ｃ同士を固定していけばよい。この場合、放熱体２２０のフィン２２０ａを、（２４／４）枚ごと、すなわち６枚ごとに、枠体１２０ｃを固定して、発光ユニット２０ｃ同士を固定していけばよい。
【００６８】
図２０および図２１は、発光ユニット群を構成する発光ユニット２０ｃの数が異なる例を示す。図２０は、３個の発光ユニット２０ｃにより構成される発光ユニット群２Ｄの斜視図である。図２１は、２個の発光ユニット２０ｃにより構成される発光ユニット群２Ｄの斜視図である。図２０に示すように、発光ユニット２０ｃを３個搭載する場合には、発光ユニット２０ｃに対して、枠体１２０ｃの取り付け角度を、（３６０／３）°ごと、すなわち１２０°ごとに回転させて、発光ユニット２０ｃ同士を固定していけばよい。この場合、放熱体２２０のフィン２２０ａを、（２４／３）枚ごと、すなわち８枚ごとに、枠体１２０ｃを固定して、発光ユニット２０ｃ同士を固定していけばよい。また、図２１に示すように、発光ユニット２０ｃを２個搭載する場合には、２個の発光ユニット２０ｃを、一つの枠体１２０ｃを介して連結するように固定する。このように、放熱体２２０のフィン２２０ａの枚数の約数が多いほど、発光ユニット２０ｃの固定数の多様性が増す効果を持つ。
【００６９】
以上、本発明の実施の形態について説明したが、本発明の適用対象は、上述した実施の形態で説明したような、装置本体を天井面に埋め込み、発光面を床面に向けて照明するように使用されるダウンライト器具に限定されるものではなく、単一の円または複数の同心円の円周上に光源を配置するような各種の発光装置に適用可能である。例えば、本発明の発光装置は、より大光束な光を扱う、投光器などにも適用が可能である。また、本発明の発光装置は、発光ユニットを少なくとも１個搭載していれば良い。また、本発明における発光ユニットは、ＬＥＤ光源以外の発光素子を用いたものでも良い。また、上述した実施の形態では、発光ユニットと枠体とを、放射状の放熱体を介して、位置決めおよび固定しているが、本発明では、放熱体以外の構成部品の形状を放射状にすることによって同様の機能を得ることもできる。
【符号の説明】
【００７０】
１  発光装置、２，２Ａ，２Ｂ，２Ｃ，２Ｄ  発光ユニット群、３，３０  反射体、５，５０  透光板、６，６０  表面反射枠、７  ユニット支持体、１２，１２０ａ，１２０ｂ，１２０ｃ  枠体、１２ａ  第１固定部、１２ｂ  第２固定部、２０  発光ユニット、２０ａ  中心発光ユニット、２０ｂ  周囲発光ユニット、２０ｃ  発光ユニット、２１，２１０  ＬＥＤ光源、２２，２２０  放熱体、２２ａ，２２０ａ  フィン、２２ｂ，２２０ｂ  空間、２３  光源取り付け板、２４  放熱体取り付け板、２５  給電線、３１  個別開口、６１  装置支持部、７１  案内溝、１０１  発光装置、１０２  外枠、１０３  発光ユニット固定板、１２１  突起部、１２２  風路
【図１】
2015011953.tif 000003
【図２】
2015011953.tif 000004
【図３】
2015011953.tif 000005
【図４】
2015011953.tif 000006
【図５】
2015011953.tif 000007
【図６】
2015011953.tif 000008
【図７】
2015011953.tif 000009
【図８】
2015011953.tif 000010
【図９】
2015011953.tif 000011
【図１０】
2015011953.tif 000012
【図１１】
2015011953.tif 000013
【図１２】
2015011953.tif 000014
【図１３】
2015011953.tif 000015
【図１４】
2015011953.tif 000016
【図１５】
2015011953.tif 000017
【図１６】
2015011953.tif 000018
【図１７】
2015011953.tif 000019
【図１８】
2015011953.tif 000020
【図１９】
2015011953.tif 000021
【図２０】
2015011953.tif 000022
【図２１】
2015011953.tif 000023
【図２２】
2015011953.tif 000024